(57)【要約】  【課題】  開口した収納袋の口縁部を折返して保持するための収納袋保持具を備えた収納袋保持装置であって、袋保持体に装着した種々の形状寸法の収納袋の開口口縁部をずれ落ちのないように且つ着脱容易に保持する収納袋保持具を備えた支柱構造および箱型構造の収納袋保持装置を提供する。  【解決手段】  上側が開口可能で収納物の投入が可能なように収納袋１の上面を開かせて保持する袋保持体２の上部に、開口した前記収納袋１を折り返して掛止する差込みスペース３を形成したスペース枠４と、該スペース枠４内で自在に変形可能な弾発力のある部材で中空状の膨らみ部を形成された圧力部材５とから成り、該スペース枠４内に収められた圧力部材５の中空状の膨らみ部の反発復元力でスペース枠４内に差し込まれた収納袋１の折り返し部を押圧し挟持すると共に袋保持体２の上部で収納袋の折り返し点１ａをずれ落ちと逆方向に突っ張り保持する収納袋保持具を備えた収納袋保持装置。  【選択図】  図１
2010006392.tif 000002
【特許請求の範囲】
【請求項１】
開口した収納袋の口縁部を折返して保持するための収納袋保持具を備えた収納袋保持装置であって、
上側が開口可能で収納物の投入が可能なように収納袋（１）の上面を開かせて保持する袋保持体（２）の上部に、開口した前記収納袋（１）の上部を折り返して掛止する差込みスペース（３）を形成したスペース枠（４）と、該スペース枠（４）内で自在に変形可能な弾発力のある部材で中空状に形成された圧力部材（５）とから成り、
前記収納袋（１）の折り返し部を前記圧力部材（５）の反発復元力でずれ落ちのないように押圧挟持する収納袋保持具を備えたことを特徴とする収納袋保持装置。
【請求項２】
圧力部材（５）の外周面に防滑性のある被覆材（５ａ）を施したことを特徴とする請求項１に記載の収納袋保持具を備えた収納袋保持装置。
【請求項３】
圧力部材（５）の一部にフランジ部（５ｂ）を形成し、該フランジ部（５ｂ）とスペース枠（４）とを連結する連結用の連結紐（６）を設けたことを特徴とする請求項１又は２に記載の収納袋保持具を備えた収納袋保持装置。
【請求項４】
圧力部材（５）の長手方向の一方の膨らみ先端部（５ｃ）をスペース枠（４）内の奥側に連結用の留め材（７）で固定し、且つ前記一方の膨らみ先端部（５ｃ）の対岸の膨らみ先端部（５ｄ）を指先で押して凹ませる程度に前記スペース枠（４）の開口部側に突出させたことを特徴とする請求項１又は２に記載の収納袋保持具を備えた収納袋保持装置。
【請求項５】
請求項４に記載の収納袋保持具を備えた収納袋保持装置において、圧力部材（５）の長手方向の一方の先端部（５ｃ）側を切落して略Ｕ字形の湾曲断面とし、その切落した側をスペース枠（４）内の奥側に連結用の連結留め材（７）で固定したことを特徴とする収納袋保持具を備えた収納袋保持装置。
【請求項６】
袋保持体（２）を、基台（８）の中心を囲む３本以上の支柱（９）より成る支柱構造としたことを特徴とする請求項１乃至５いずれかに記載の収納袋保持具を備えた収納袋保持装置。
【請求項７】
請求項６に記載の収納袋保持装置において、袋保持体（２）の基台を、２本の細長板状材（８ａ）または棒状材（８ｂ）を中央部に設けた枢支部（８ｃ）で回動可能にＸ字状に重ね合わせて折畳み可能としたことを特徴とする収納袋保持具を備えた収納袋保持装置。
【請求項８】
袋保持体（２）を、底面の中心を囲むように壁面を立設させた箱型構造としたことを特徴とする請求項１乃至５いずれかに記載の収納袋保持具を備えた収納袋保持装置。
【請求項９】
請求項８に記載の収納袋保持装置において、袋保持体（２）の箱型構造を、壁面の接合部分に縦方向の折り曲げ自在部を形成し、細長菱形状に折り畳み可能な底板のない箱型構造としたことを特徴とする収納袋保持具を備えた収納袋保持装置。
【発明の詳細な説明】
【技術分野】
【０００１】
本発明は、例えば軽量で嵩張る多量の排出物などを収納する際に、袋保持体に装着した収納袋の折り返し部をずれ落ちのないように且つ簡単に着脱容易に押圧挟持する本発明の収納袋保持具を備えた支柱構造および箱型構造の収納袋保持装置に関する。
【背景技術】
【０００２】
従来、家庭や事業所などで一般的に用いられているごみ類の収納容器においては、容器内に装着したごみ袋内に溜まったごみをごみ袋ごと簡単に取り出して排出できるようにするために、ゴミ袋の上部折り返し部を容器の口縁部に掛け、容器の口から外部に露出したままの状態で装着することが多かった。
【０００３】
また、一般的に用いられているごみ類の収納容器においては、装着する袋のサイズが容器によって限定され、容器よりも小さい口縁寸法の袋は容器に装着できないものになっている。
また、容器よりも大きい袋は使用可能ではあるものの、その場合は袋の余分な部分が容器内に畳み込まれてしまうので、容器よりも大きい袋を装着してもその袋のもつ収納容量いっぱいに収納物を多量収納することができないものになっている。
また、容器の口縁寸法よりも大きい口縁寸法の袋を装着しても、容器の口縁寸法をそれらの袋の開口口縁寸法に合わせて拡張することはできないので、装着する袋のもつ開口寸法いっぱいに開口して最も投入し易い状態で収納物を収納することができないものになっている。
【０００４】
また、美観を必要とする場所などで用いている容器においては、容器内に中容器を備える方法が一般的に行われている。
また、容器の上部から食み出した袋の折返し部を外部に露出せずに内蔵装着するためや、一つの容器で分別収納ができるようにするために、例えば容器の上縁部に備えた複数個の袋押さえ材で袋の折り返し部を押さえて装着する方法が一般的に行われている。
また、一つの容器で分別収納ができるようにするために、容器内に複数個の仕切板を備える方法が一般的に行われている。
しかし、これらの方法においては収納袋の装着が面倒なものになっている。
【０００５】
また、例えば事業所の作業現場などにおいては、例えば軽量で嵩張る樹脂材や木材などの生産材の切落し材や製品の包装材などの排出物を多量収納するために大型の収納容器が設置されているが、これらの大型の収納容器においては、収納物が少なくて大型の収納容器が不要の場合でも常時据置きされているために、収納物が少ない大型の収納容器が不要の場合には邪魔になることや、設置場所のスペースが有効活用できないものになっている。
また、これらの大型の収納容器においては、生産工程により所定の場所にこれらの大型の収納容器の設置が急遽必要になった場合などに容易に設置の対応できないものになっている。
また、これらの大型の収納容器においては、構造体の強度を必要とするために高価格のものになっている。
【０００６】
そこで、これらの従来の収納容器の欠点を解消するための方法として、先に本出願人は、特許文献１の「収納袋支持器具」および特許文献２の「袋内蔵型容器」を提案している。
しかし、これらの提案においては、容器の開口部から食み出した袋上部の折返し部を保持するための手段として、磁石による吸着挟持手段を用いているので、例えば、収納袋の厚みや材質や堅さや折返し量や袋折り返しの手繰り状態などに対応して、磁石の吸着力を適正に調整したものを備えなければならないことなどの問題のあるものになっている。
そして、例えば大型で丈夫な袋を装着するために、吸着力の大きい磁石を用いた場合には、磁石のコストが高くなることや、磁石の開閉などの取り扱いがし難いものになることなどの問題のあるものになっている。
このため、特許文献１の「収納袋支持器具」および特許文献２の「袋内蔵型容器」の提案における磁石を用いた吸着挟持手段に対して、別手段による袋折返し部の的確な保持手段の開発が必要となっている。
【０００７】
【特許文献１】特開２００７−３１４２３１
【特許文献２】特開２００７−３１４３４０
【発明の開示】
【発明が解決しようとする課題】
【０００８】
そこで、上述した種々の欠点を解消するために、従前の特許文献１の「収納袋支持器具」および特許文献２の「袋内蔵型容器」の提案における磁石による吸着挟持手段に対して、別手段として、本発明の収納袋保持具を備えた収納袋保持装置においては、図１から図４、および図５から図１９に示すように、スペース枠４内に凹ませて収めた圧力部材５の反発復元力で、収納袋１の上部の折り返し部を押圧し挟持することによって、収納袋１の折り返し部をずれ落ちのないように且つ簡単に着脱容易に保持することができるようにする。
【０００９】
そして、前述の磁石による吸着挟持手段の種々の問題であるところの、磁石の吸着力や吸着面を適正に調整しなければならないことや、また、吸着力の大きい磁石を用いた場合に磁石のコストが高くなることや、磁石の開閉などの取り扱いがし難いものになることなどの問題を的確に解消できるようにする。
【００１０】
そして、圧力部材５の反発復元力による押圧挟持手段により保持する本発明の収納袋保持具を備えた本発明の支柱構造の収納袋保持装置および箱型構造の収納袋保持装置を提供することにより、上述した磁石による吸着挟持手段の種々の欠点を解消することを主なる目的とする。
【００１１】
そして、本発明の支柱構造の収納袋保持装置においては、図１に示すように、基台に傾斜角度および高さを調整自在とする支柱を立設し、装着する袋のもつ開口寸法いっぱいに開口して最も投入し易い状態で収納物を収納できるようにする。
また、支柱の傾斜角度および高さを調整自在とすることによって、収納する袋に大小がある場合でも種々の形状寸法の収納袋をその袋のもつ最大の開口寸法に拡張開口し、収納物を最も投入し易い状態で投入し収納できるようにする。
【００１２】
また、袋保持体を側材の無い支柱構造とし、収納袋を収納袋保持装置の外面に食み出させて装着することにより、その袋のもつ収納容量いっぱいに収納物を多量収納できるようにする。
また、収納袋を袋保持体の支柱の外面に食み出させ、且つ収納袋の底面を基台の上面で受けて収納することにより、袋保持体の強度負担を軽減し簡単構造で且つ低コストでできるようにする。
【００１３】
また、図２に示すように、基台を回動可能な■字状とし、折り畳み可能な支柱構造の収
納袋保持装置を必要な時に必要な場所で簡単にセットして収納できるようにする。
そして、必要な時に取り出し、収納量に合わせて収納袋保持装置を必要な大きさに拡張していくことにより、設置場所のスペースが有効活用できるようにする。
そしてこれにより、従来においては、例えば排出物などの収納物がなく収納が不要の場合でも常時据置きされているために、不要の場合に邪魔になることや、設置場所のスペースが有効活用できないことなどの問題を解消できるようにする。
【００１４】
また、本発明の箱型構造の収納袋保持装置においては、図３に示すように、袋保持体の開口口縁部の任意の位置に且つ収納袋の開き寸法に見合った位置に収納袋保持具を配設することにより、複数個の中容器や仕切板や袋押さえ材などを用いることなく、一つの収納袋保持装置で簡単に分別収納ができるようにする。
【００１５】
また、箱型構造の袋保持体の開口口縁部の必要位置に収納袋保持具を配設することにより、装着する袋のサイズが限定されることなく、小さい口縁寸法の袋や、大きい口縁寸法の袋も簡単に且つ着脱容易に且つずれ落ちしないように装着することができるようにする。また、収納袋の上部折り返し部を外部に露出することなく見映え良く内蔵装着できるようにする。
【００１６】
また、図４に示すように、細長菱形状に折り畳み可能な底板のない箱型構造とした収納袋保持装置を必要な時に必要な場所に簡単にセットできるようにする。
そして、必要な時に取り出し、収納量に合わせて収納袋保持装置を必要な大きさに拡張していくことにより、設置場所のスペースが最大限に有効活用できるようにする。
そして、従来においては、排出物などの収納物がなく収納容器が不要の場合でも常時据置きされているために、不要の場合に邪魔になることや、設置場所のスペースが有効活用できないことなどの問題を解消できるようにする。
【課題を解決するための手段】
【００１７】
上述した種々の欠点を解消するための手段として、図１から図４に示すように、開口した収納袋の口縁部を折返して保持するための収納袋保持具を備えた収納袋保持装置であって、上側が開口可能で収納物の投入が可能なように収納袋１の上面を開かせて保持する袋保持体２の上部に、開口した前記収納袋１の上部を折り返して掛止する差込みスペース３を形成したスペース枠４と、該スペース枠４内で自在に変形可能な弾発力のある部材で中空状に形成された圧力部材５とから成り、前記収納袋１の折り返し部を前記圧力部材５の反発復元力でずれ落ちのないように押圧挟持する収納袋保持具を備えたことを特徴とする収納袋保持装置を構成する。
【００１８】
また、図５に示すように、圧力部材５の外周面に防滑性のある被覆材５ａを施した収納袋保持具を備えた収納袋保持装置を構成する。
【００１９】
また、図７の（Ａ）に示すように、圧力部材５の一部にフランジ部５ｂを形成し、該フランジ部５ｂとスペース枠４とを連結する連結用の連結紐６を設けた収納袋保持具Ｈ１を備えた収納袋保持装置を構成する。
【００２０】
また、図７の（Ｂ）に示すように、圧力部材５の長手方向の一方の膨らみ先端部５ｃをスペース枠４内の奥側に連結用の留め材７で固定し、且つ前記一方の膨らみ先端部５ｃの対岸の膨らみ先端部５ｄを指先で押して凹ませる程度にスペース枠４の開口部側に突出させた収納袋保持具Ｈ２を備えた収納袋保持装置を構成する。
【００２１】
また、図７の（Ｃ）に示すように、圧力部材５の長手方向の一方の膨らみ先端部５ｃ側を切落して略Ｕ字形の湾曲断面とし、その切落した側をスペース枠４内の奥側に連結用の連結留め材７で固定した収納袋保持具Ｈ３を備えた収納袋保持装置を構成する。
【００２２】
また、図１に示すように、袋保持体２を、基台８の中心を囲む３本以上の支柱９より成る支柱構造とし、収納袋保持具Ｈ１乃至Ｈ３のいずれかを備えた収納袋保持装置Ａを構成する。
【００２３】
また、図２に示すように、支柱構造の収納袋保持装置において、袋保持体２の基台を、２本の細長板状材８ａまたは棒状材８ｂを中央部に設けた枢支部８ｃでＸ字状に回動可能に重ね合わせて折畳み可能とし、収納袋保持具Ｈ１乃至Ｈ３のいずれかを備えた収納袋保持装置Ａ１を構成する。
【００２４】
また、図３に示すように、前記袋保持体２を、底面の中心を囲むように壁面を立設させた箱型構造とし、収納袋保持具Ｈ１乃至Ｈ３のいずれかを備えた収納袋保持装置Ｂを構成する。
【００２５】
また、図４に示すように、箱型構造の収納袋保持装置において、袋保持体２の箱型構造を、壁面の接合部分に縦方向の折り曲げ自在部を形成し、細長菱形状に折り畳み可能な底板のない箱型構造とし、収納袋保持具Ｈ１乃至Ｈ３のいずれかを備えた収納袋保持装置Ｂ１を構成する。
【発明の効果】
【００２６】
前述の特許文献１の「収納袋支持器具」および特許文献２の「袋内蔵型容器」の提案における磁石による吸着挟持手段の種々の問題に対して、本発明の収納袋保持具を備えた収納袋保持装置においては、本発明の収納袋保持具における中空状の圧力部材５の反発復元力がスペース枠４の内面に向かって全面接触で柔軟にしなやかに押圧し挟持することによって、また、これと共に、前記収納袋１の折り返し点１ａにおいて収納袋１のずれ落ちに対して逆方向に突っ張ることによって、収納袋１をずれ落ちなどのないように的確に且つ簡単に且つ着脱容易に且つ低コストで保持することができる。
そして、これにより、前述の磁石による吸着挟持手段の種々の問題を的確に解消することができる。
【００２７】
また、本発明の収納袋保持具を備えた収納袋保持装置においては、本発明の収納袋保持装置の使い方を示す図１７から図１９に示すように、変形自在な弾発力のある部材で中空状に形成された圧力部材５の湾曲部が“ふにゃっ”と柔軟にしなやかに任意の凹み寸法で凹み変形ができるので、例えばスペース枠４内に “くしゃくしゃ”に手繰り込んだ状態においても、中空状の圧力部材５の反発復元力がスペース枠４の内面に向かって全面接触で柔軟にしなやかに押圧し挟持することによって、また、これと共に前記収納袋１の折り返し点１ａにおいて収納袋１のずれ落ちに対して逆方向に突っ張ることによって、収納袋１をずれ落ちなどのないように的確に且つ簡単に且つ着脱容易に保持することができる。
【００２８】
また、本発明の収納袋保持具を備えた収納袋保持装置においては、図５に示すように圧力部材５の外周面に防滑性のある被覆材５ａを施すことにより、前記収納袋１の折り返し点１ａにおいて、収納袋１がずれ落ちしないように、また、収納袋１のずれ落ちに対して逆方向に突っ張る際に収納袋１を傷めないように保持することができる。
【００２９】
また、本発明の収納袋保持具Ｈ１を備えた収納袋保持装置においては、図７の（Ａ）および図１７に示すように、袋保持体２の上部に配設したスペース枠４内に差し込んだ収納袋１の折り返し部の上から圧力部材５を差し込むだけで、中空状の圧力部材５の反発復元力がスペース枠４の内面に向かって全面接触で柔軟にしなやかに押圧し挟持することができる。また、これと共に前記収納袋１の折り返し点１ａにおいて収納袋１のずれ落ちに対して逆方向に突っ張ることによって、収納袋１をずれ落ちなどのないように的確に且つ簡単に且つ着脱容易に保持することができる。
そして、これにより、例えば一般的に用いられているブルーシートなどを素材とした大判で厚く丈夫な収納袋１においても、折り返し部の差込みが容易にでき、且つ“くしゃくしゃ”に手繰り込んだ状態の折り返し部の上からの収納袋保持具Ｈ１の押さえ込みが容易にできるので、大型の収納袋保持装置Ａにおいて特に効果的に活用できる。
【００３０】
また、本発明の収納袋保持具Ｈ２またはＨ３を備えた収納袋保持装置においては、図７の（Ｂ）（Ｃ）および図１８から図１９に示すように、弾発力のある部材で中空状に形成された圧力部材５をスペース枠４内に凹ませて収め、その奥側の２箇所の端部を連結用の留め材７で固定した両側面端部支持のアーチ型中空状の立体構造の圧力部材５としたことにより、中空状の圧力部材５の反発復元力がスペース枠４の内面に向かって全面接触で柔軟にしなやかに押圧し、収納袋１の折り返し部をずれ落ちのないように的確に保持することができる。
【００３１】
そして、本発明の収納袋保持具Ｈ２またはＨ３を備えた収納袋保持装置においては、図１８から図１９に示すように、中空状に形成された圧力部材５の突出部５ｄに指先を当て、その先端部を凹ませると首振りにより収納袋１の折り返し部の差込み空間が容易にできる。そして、その差込み空間部に収納袋折り返し部を差込み、指を離すと、中空状の圧力部材５の反発復元力がスペース枠４の内面に向かって全面接触でしなやかに押圧し挟持することができる。また、これと共に前記収納袋１の折り返し点１ａにおいて収納袋１のずれ落ちに対して逆方向に突っ張ることによって、収納袋１をずれ落ちなどのないように的確に且つ簡単に且つ低コストで且つ着脱容易に保持することができる。
そして、これにより、例えば一般的に用いられているごみ容器に市販のごみ袋などの折り返し部を指先で差込み、そして指を離すだけで簡単にごみ袋などを装着することができるので、家庭用や事業所用などで一般的に使われている小型や中型の収納袋保持装置において便利に活用できる。
【００３２】
また、本発明の支柱構造の収納袋保持装置Ａにおいては、図１に示すように、袋保持体２を基台８に支柱９を立設した側材の無い支柱構造としたことにより、収納袋１を収納袋保持装置Ａの外面に食み出させて装着し、その収納袋１のもつ収納容量いっぱいに収納物を多量収納することができる。
【００３３】
また、図１に示すように、支柱９の傾斜角度および高さを調整自在とすることによって、収納する収納袋１に大小がある場合でも種々の形状寸法の収納袋１をその袋のもつ最大の開口寸法に拡張開口し、収納物を最も投入し易い状態で投入し収納することができる。
また、収納袋１を収納袋保持装置Ａの外面に食み出させ、且つ収納袋１の底面を基台８の上面で受けて収納することにより、支柱の強度の負担を軽減し簡単構造で且つ低コストでできる。
【００３４】
そしてこれらにより、例えば軽量で嵩張る多量の排出物を収納する生産現場などにおいては、高額で大型構造体の収納容器の設置を必要とすることなく、収納量に見合ったサイズの収納袋を支柱に簡単にセットし、且つ収納した収納物を袋ごとそのまま簡単に排出できるので、従来の収納容器のコスト低減や作業の合理化などを図ることができる。
そして、大型の収納袋１を簡単に装着できる大型の低コスト簡易型組立て式の収納袋保持装置として特に効果的に活用できる。
【００３５】
また、図２に示すように、本発明の支柱構造の収納袋保持装置Ａ１においては、袋保持体２の基台８を回転自在の■字状とし、折畳み可能の収納袋保持装置とすることにより、
必要とする時に必要な場所で簡単にセットして、収納物を収納することができる。
また、小さく折畳まれているので、小スペースで保管できる。
また、小さく折畳まれているので、移動が簡単にできる。
また、小さく折畳まれているので、幅の狭い場所でも設置できる。
そして、収納量に合わせて■字状の基台８を開いていくことにより、幅の狭い場所でも
収納量に応じた最小スペースで収納することができる。
【００３６】
また、収納袋１を収納袋保持装置Ａ１に装着したままの状態で折畳み、保管し、移動きるので、例えば生産現場などで作業工程により急遽多量の収納物の収納が必要となった場合においても、収納袋保持装置Ａ１を急遽必要とする時に必要な場所に簡単にセットすることができる。
そしてこれにより、収納物をいつも整理整頓した状態で折畳み、保管し、移動きるので、作業スペースの有効活用や作業の合理化を図ることができる。
また、例えば生産現場などで排出物などの収納物が少なく大型の収納容器が不要の場合でも常時大型の収納容器が据置きされているために不要の場合には邪魔になることや、設置場所のスペースが有効活用できないことなどの不具合を解消することができる。
【００３７】
また、収納袋１を収納袋保持装置Ａ１にセットしたままの状態で折畳み、保管し、移動きるので、例えば公共施設内の催事場やイベント会場などにおいても、収納袋保持装置Ａ１を急遽必要とする時に必要な場所に簡単にセットすることができる便利な収納袋保持装置として活用できる。
また、例えば事務所などにおいても、収納袋１を収納袋保持装置Ａ１にセットしたままの状態で且つ細幅の状態で小さく折畳まれているので、机の脇などの幅の狭い場所でも設置できる。そして、収納量に合わせて■字状の基台８を開いていくことにより、幅の狭い
場所でも収納量に応じた最小スペースで収納することができる。
【００３８】
また、本発明の箱型構造の収納袋保持装置Ｂにおいては、図３および図１１から図１６に示すように、図６の（Ｂ）に示すような引っ掛けフック付きの収納袋保持具Ｈ１またはＨ２、Ｈ３を収納袋１の開口口縁部の寸法に合わせて、箱型構造の袋保持体２の開口口縁部の任意の位置に配設することにより、従来の中容器や仕切板や袋押さえ材などを用いることなく、収納袋１を簡単に且つ着脱容易に且つずれ落ちしないように装着することができる。
また、複数の収納袋１を簡単に装着できるので、複数個の仕切板や袋押さえ材などを用いることなく、一つの容器で簡単に分別収納ができる。
また、収納袋１を簡単に内蔵装着できるので、見映え良く収納できる。
また、装着する袋のサイズが限定されることなく、小さい口縁寸法の袋も簡単に且つ着脱容易に装着することができる。
【００３９】
また、本発明の箱型構造の折畳み型の収納袋保持装置Ｂ１においては、図４および図１１から図１６に示すように、袋保持体２を底板のない箱型構造の袋保持体２とすることにより、必要とする時に必要な場所で収納袋１を折畳み型の収納袋保持装置Ｂ１に装着したままの状態で簡単にセットできる。
そしてこれにより、前述の本発明の支柱構造の収納袋保持装置Ａ１に準じた機能をもち、且つ収納袋１を簡単に内蔵装着できる。
【発明を実施するための最良の形態】
【００４０】
先ず、本発明の収納袋保持装置の構成について、図に基づいて説明する。
本発明の収納袋保持装置は、図１から図４および図５から図１９に示すように、開口した収納袋の口縁部を折返して保持するための収納袋保持具を備えた収納袋保持装置であって、上側が開口可能で収納物の投入が可能なように収納袋１の上面を開かせて保持する袋保持体２の上部に、開口した前記収納袋１の上部を折り返して掛止する差込みスペース３を形成したスペース枠４と、該スペース枠４内で自在に変形可能な弾発力のある部材で中空状に形成された圧力部材５とから成る収納袋保持具を備えた収納袋保持装置を構成するものとしている。
【００４１】
そして、前記スペース枠４内に凹ませて収めた前記圧力部材５の中空状の膨らみ部の反発復元力が前記スペース枠４の内面に向かって前記収納袋１の折り返し部を押圧し挟持することによって、前記収納袋１の折り返し部をずれ落ちのないように且つ着脱容易に保持する収納袋保持具を備えた収納袋保持装置を構成するものとしている。
また、これと共に前記収納袋１の折り返し点１ａにおいて前記収納袋１のずれ落ちに対して逆方向に突っ張ることによって、前記収納袋１の折り返し部をずれ落ちのないように且つ着脱容易に保持することができるものとしている。
【００４２】
つぎに、本発明の収納袋保持装置の各構成材についての形態について説明する。
先ず収納袋１については、特に限定されるものではないが、図１および図３に示すように、袋保持体２内に開口した収納袋の口縁部を折返して保持するもので、一般的にごみ袋などとして市販されているビニール袋やポリ袋などが好ましい。また、現場で排出される包装材や樹脂材の残材など軽くて嵩張る多量の排出物などを収納する大型の収納袋などについては、例えば一般的に用いられているブルーシートなどの薄手で安価で強度のあるシート材を袋状に成型したものなどが好ましい．
【００４３】
また、袋保持体２は、特に限定されるものではないが、図１から図４に示すように、樹脂製または金属製の支柱構造または箱型構造のものとしている。また、箱型構造のものについては、ダンボール製のものでも良い。
【００４４】
また、スペース枠４は、特に限定されるものではないが、図６および図７に示すように、材質は樹脂製または金属製で、形状は例えば略細長コの字形の枠材で、寸法は収納袋１の上部折り返し部を掛止する差込みスペースと圧力部材５を凹ませて収めるための開き寸法と奥行き寸法をもつものとし、板厚は２ミリから５ミリほどのものが好ましい。
【００４５】
また、箱型構造の袋保持体２に用いるスペース枠４は、例えば図６のＢに示すように、収納袋１を開口寸法に合わせた任意の位置に着脱自在に差込みおよび保持ができるように弾力付きの引っ掛けフック型のものが好ましい。
【００４６】
また、圧力部材５は、図５および図７に示すように、変形自在な弾発力のある部材で中空状の膨らみ部をもって湾曲状に形成されており、指先で軽く押し付けすると湾曲部が“ふにゃっ”と柔軟にしなやかに任意の凹み寸法で凹み変形ができるものとしている。
そして、例えば図８から図１９に示すように、その柔軟でしなやかな凹み変形による反発復元力がスペース枠４内に“くしゃくしゃ”に手繰り込んだ状態で差し込まれた収納袋口縁部の折返し部を柔軟な面状接触でしなやかに押圧して、外れやずれ落ちのないように的確に押さえ込むことができるものとしている。
【００４７】
また、変形自在な弾発力のある部材で中空状に形成された圧力部材５の両側面の膨らみ部が柔軟にしなやかに凹み変形し、その凹みによる反発復元力がスペース枠４の内面の両側面に向かって押圧し、収納袋口縁部の折返し部を両側面の面状接触で押圧することにより、外れやずれ落ちのないように的確に押さえ込むことができるものとしている。
【００４８】
また、図７の（Ａ）に示す収納袋保持具Ｈ１は、差込み保持型の収納袋保持具であって、図５の（Ａ）に示すように、圧力部材５の一部にフランジ部５ｂを形成し、該フランジ部５ｂとスペース枠４とを連結する連結用の連結紐６を備えたものとしている。
そして、連結紐６は、例えば図８に示すように、圧力部材５をスペース枠４内に自在に差し込める長さをもつ伸縮紐が好ましい。
そして、図８に示すように、スペース枠４内に収納袋１の折り返し部を差し込み、その上から圧力部材５を差し込んで押さえ込む差込み保持型の収納袋保持具としている。
そして、スペース枠４内で変形自在に凹んだ中空状の膨らみ部の反発復元力により収納袋１の折り返し部を押圧して押さえ込み挟持するものとしている。
【００４９】
また、図７の（Ｂ）に示す収納袋保持具Ｈ２は、圧力部材５の下部を両側面支持で固定し、上部を首振りとした収納袋保持具であって、図５の（Ｂ）に示すように圧力部材の長手方向の一方の膨らみ先端部５ｃ側に連結用の留め材７で固定するようにしたものとしている。
そして、図７の（Ｂ）および図９に示すように、その奥側の２箇所の端部を連結用の留め材７で固定した両側面端部支持のアーチ型中空状の立体構造の圧力部材５としたことにより、中空状の圧力部材５の反発復元力がスペース枠４の内面に向かって全面接触でしなやかに且つ的確に押圧保持することができるものとしている。
そして、圧力部材５の５ｃ側とスペース枠４の奥側との連結は接着またはビス止めによる固着が好ましい。
【００５０】
また、収納袋保持具Ｈ２は、図９に示すように、スペース枠４の開口部側で且つ袋保持体２の上部側の突出部５ｄを指先で押付けて凹ませると、首振りにより中空状の圧力部材５の膨らみ部が“ふにゃっ”と潰れて凹みスペース枠４内に差込み空間が容易にできる。
そして、この差込み空間部に収納袋１の折り返し部を差込み、圧力部材５の反発復元力により自動的に押付け保持することによりずれ落ちのないように保持するものとしている。
そして、突出部５ｄは図９に示すように、１５ミリほどの突出で３０ミリほどの首振りができるものが好ましい。
【００５１】
また、図７の（Ｃ）に示す収納袋保持具Ｈ３は、圧力部材５の下部切落しと両側面端部固定支持と上部首振りとした収納袋保持具であって、図５の（Ｃ）に示すように、圧力部材５の長手方向の一方の膨らみ先端部５ｃ側を切落して略Ｕ字形の湾曲断面とし、その切落した側を留め材７で固定するようにしたものとしている。
そして、図７の（Ｃ）および図１０に示すように、その奥側の２箇所を連結用の留め材７で固定した両側面端部支持のアーチ型中空状の立体構造の圧力部材５としたことにより、中空状の圧力部材５の反発復元力がスペース枠４の内面に向かって全面接触でしなやかに且つ的確に押圧保持することができるものとしている。
そして、圧力部材５の５ｃ側とスペース枠４の奥側との連結は接着またはビス止めによる固着が好ましい。
【００５２】
そして、収納袋保持具Ｈ３は、図１０に示すように、スペース枠４の開口部側で且つ袋保持体２の上部側の突出部５ｄを指先で押付けて凹ませることにより、中空状の圧力部材５の膨らみ部が“ふにゃっ”と潰れて凹みスペース枠４内に差込み空間が容易にできる。
そして、この差込み空間部に収納袋１の折り返し部を差込み、中空状の圧力部材５の反発復元力により自動的に押付け保持してずれ落ちのないように保持するものとしている。
そして、突出部は図１０に示すように、１５ミリほどの突出で３０ミリほどの首振りができるものが好ましい。
【００５３】
また、圧力部材５の部材の材質は特に限定されるものではないが、樹脂製のものは、弾発力のあるそして熱可塑性樹脂の代表的な樹脂材であるポリエチレンやポリプロピレンや塩化ビニル樹脂などが好ましい。また、金属製のものは、弾発力のあるステンレス材などが考えられる。
【００５４】
また、圧力部材５のサイズは、特に限定されるものではないが、例えば長さ方向の寸法は、５０ミリから１００ミリほどで、幅寸法は、スペース枠４の幅寸法に合わせた２０ミリから５０ミリほどで、湾曲断面の膨らみ間の寸法は３０ミリから５０ミリほどのものが好ましい。
また、現場で排出される包装材や樹脂材の残材などの排出物などを収納する大型の収納袋を保持するものについては、必要な大きさの寸法と強度を備えた大型サイズのものとしている。
【００５５】
また、圧力部材５の外周面に施した防滑性のある被覆材５ａについては特に限定はないが、滑り難い表面粗度をもち且つシート状物に傷が付かないクッション性のあるものが好ましく、例えばポリエチレンの不織布またはポリウレタンなどの樹脂材やゴム材のコーティングなどが挙げられる。
そして、図５に示すように、圧力部材５の外周面に防滑性のある被覆材５ａを接着またはコーテングにより施こすものとしている。
【００５６】
また、支柱構造の収納袋保持装置Ａは、図１および図８から図１０に示すように、袋保持体２を基台８の中心を囲む３本以上の支柱９より成る支柱構造としたものとしている。
そして、基台８および支柱９の材質は、特に限定されるものではないが樹脂製または金属製のものが好ましい。また、支柱９の高さ寸法は、収納袋１に合わせた寸法にスライド調整可能のものが好ましい。また、支柱９の開き寸法は、収納袋１の開口口縁寸法に合わせた寸法に開き角度調整が容易な手段として例えば屈曲自在材またはヒンジ材を柱脚部に備えたものが好ましい。
【００５７】
また、折畳み型で支柱構造の収納袋保持装置Ａ１は、図２および図８から図１０に示すように、袋保持体２の基台を２本の細長板状材８ａまたは棒状材８ｂを重ね合わせ、中央部に設けた枢支部８ｃでＸ字状に重ね合わせたとしたものとしている。
そして、基台の細長板状材８ａまたは棒状材８ｂの材質は特に限定されるものではないが樹脂製または金属製で、寸法は収納袋１に合わせた寸法にスライド調整が容易な手段を備えたものとしている。
【００５８】
また、支柱構造の収納袋保持装置Ａおよび折畳み型で支柱構造の収納袋保持装置Ａ１は、図１から図２および図８から図１０に示すように、支柱上部の外面側に図７の（Ａ）に示すような収納袋保持具Ｈ１を挿入するものとしている。または、図７の（Ｂ）に示すような収納袋保持具Ｈ２、または、図７の（Ｃ）に示すようなＨ３のいずれかを接着またはビス止めにより固着取付けするものとしている。
【００５９】
また、箱型構造の収納袋保持装置Ｂは、図３および図１１から図１６に示すように、袋保持体２を底面の中心を囲んで立面する箱型構造としたものとしている。
また、折畳み型で底板のない箱型構造の収納袋保持装置Ｂ１は、図４および図１１から図１６に示すように、袋保持体２の４箇所に縦方向の折り曲げ自在部を形成し、開口した口縁部が細長菱形状に折り畳み可能な底板のない箱型構造としたものとしている。
【００６０】
また、箱型構造の収納袋保持装置Ｂおよび折畳み型で底板のない箱型構造の収納袋保持装置Ｂ１は、図３から図４および図１１から図１６に示すように、箱型構造の袋保持体２の内面側または外面側に、例えば図６の（Ｂ）に示すような引っ掛けフック付きの収納袋保持具を任意の位置に移動可能に且つ着脱容易に備えたものとしている。
【００６１】
また、箱型構造の収納袋保持装置Ｂおよび折畳み型で底板のない箱型構造の収納袋保持装置Ｂ１は、例えば図６の（Ｂ）に示すようなスペース枠４を用いて収納袋１を開口寸法に合わせた位置に着脱自在に差込みができるようにした引っ掛けフック付きの収納袋保持具を移動可能にセットすることにより、例えば図３に示すように、一つの袋保持体２にサイズの異なる複数の収納袋１をずれ落ちのないように且つ着脱容易に保持することができるものとしている。
そして、これにより従来の中容器や仕切板や袋押さえ材などを用いることなく、一つの箱型構造の収納袋保持装置で分別収納が容易にできるものとしている。
【００６２】
つぎに本発明の収納袋保持装置の使い方としては、例えば図８に示すような差込み型の収納袋保持具Ｈ１を備えた収納袋保持装置ＡおよびＡ１の使い方については、先ず、図１７の（Ａ）の状態から、図１７の（Ｂ）に示すようにスペース枠４内に収納袋１の折り返し部を差込む。
つぎに図１７の（Ｃ）に示すようにスペース枠４内の収納袋１の折り返し部の上から差込み型の圧力部材５を差込む。
そして、圧力部材５の中空状の膨らみ部の反発復元力で押圧して、収納袋１の折り返し部の差込み部を圧力部材５の外側面とスペース枠４の内側面で押さえ込む。
また、これと共にスペース枠４の上部および袋保持体２の上部の収納袋の折り返し点１ａで収納袋１のずれ落ちに対して逆方向に食い込むように突っ張り保持する。
これにより、図１から図４に示すような収納袋保持装置に収納袋１をずれ落ちのないように且つ着脱容易に保持するものとしている。
【００６３】
また、図９に示すような収納袋保持具Ｈ２を備えた収納袋保持装置の使い方については、先ず、図１８の（Ａ）の状態から、図１８の（Ｂ）に示すように圧力部材５の上部に指先を当て、圧力部材５の中空状の先端部を凹ませて、収納袋折り返し部の差込み空間をつくる。そして、その差込み空間に図１８の（Ｃ）に示すように、収納袋の折り返し部を差込む。そして、指先を離すと、図１８の（Ｄ）に示すように、圧力部材５の中空状の膨らみ部の反発復元力で押圧して、収納袋折り返し部の差込み部を圧力部材５の外側面とスペース枠４の内側面で自動的に押さえ込むものとしている。
また、これと共にスペース枠４の上部および袋保持体２の上部の収納袋の折り返し点１ａで収納袋１のずれ落ちに対して逆方向に食い込むように突っ張り保持するものとしている。
これにより、図１から図４に示すような収納袋保持装置に収納袋１をずれ落ちのないように且つ着脱容易に保持するものとしている。
また、図１０に示すような収納袋保持具Ｈ３を備えた収納袋保持装置の使い方については、図９に示す収納袋保持具Ｈ２の使い方に準ずるものとしている。
【産業上の利用可能性】
【００６４】
本発明の支柱構造の収納袋保持装置Ａにおける最も効果的な活用例としては、例えば、事業所の作業現場などで生産材の切落し材や製品の包装材など大きく嵩張る排出物を多量収納するための大型の収納容器が急遽必要になった場合などにも、大型の収納袋１を簡単に装着して即対応でき、且つ不要の場合は小さく畳むことができる組立て式の低コスト簡易型の大型収納袋保持装置として特に効果的に活用できる。
【００６５】
また、細長Ｘ字状に折り畳み可能な支柱構造の収納袋保持装置Ａ１の最も効果的な活用例としては、例えば生産現場やイベント会場などにおいて、急遽多量の収納物の収納が必要となった場合に、必要な場所に簡単にセットして収納できる便利な折畳み型の収納装置として活用できる。
【００６６】
また、箱型構造の収納袋保持装置Ｂの最も効果的な活用例としては、容器内に複数個の仕切板や袋押さえ材などを用いることなく、容器内に複数の収納袋を簡単に装着して、分別収納が簡単にできる便利な分別収納装置として活用できる。
【００６７】
また、細長菱形状に折り畳み可能な箱型構造の収納袋保持装置Ｂ１の最も効果的な活用例としては、例えば生産現場やイベント会場などにおいて、急遽多量の収納物の収納が必要となった場合に、必要とする時に必要な場所に簡単にセットして収納できる便利な折畳み型の収納装置として活用できる。
【図面の簡単な説明】
【００６８】
【図１】本発明の支柱構造の収納袋保持装置Ａの斜視図である。
【図２】本発明の折畳み型で支柱構造の収納袋保持装置Ａ１の斜視図である。
【図３】本発明の箱型構造の収納袋保持装置Ｂの斜視図である。
【図４】本発明の折畳み型で箱型構造の収納袋保持装置Ｂ１の斜視図である。
【図５】本発明の圧力部材５の斜視図である。
【図６】本発明のスペース枠４の斜視図である。
【図７】本発明の収納袋保持具Ｈ１およびＨ２、Ｈ３の斜視図である。
【図８】本発明の支柱構造の収納袋保持装置ＡまたはＡ１に本発明の収納袋保持具Ｈ    １を配設した状態の要部詳細図である。
【図９】本発明の支柱構造の収納袋保持装置ＡまたはＡ１に本発明の収納袋保持具Ｈ    ２を配設した状態の要部詳細図である。
【図１０】本発明の支柱構造の収納袋保持装置ＡまたはＡ１に本発明の収納袋保持具    Ｈ３を配設した状態の要部詳細図である。
【図１１】本発明の箱型構造の収納袋保持装置ＢまたはＢ１の外側に、本発明の収納    袋保持具Ｈ１を配設した状態の要部詳細図である。
【図１２】本発明の箱型構造の収納袋保持装置ＢまたはＢ１の外側に、本発明の収納    袋保持具Ｈ２を配設した状態の要部詳細図である。
【図１３】本発明の箱型構造の収納袋保持装置ＢまたはＢ１の外側に、本発明の収納    袋保持具Ｈ３を配設した状態の要部詳細図である。
【図１４】本発明の箱型構造の収納袋保持装置ＢまたはＢ１の内側に、本発明の収納    袋保持具Ｈ１を配設した状態の要部詳細図である。
【図１５】本発明の箱型構造の収納袋保持装置ＢまたはＢ１の内側に、本発明の収納    袋保持具Ｈ２を配設した状態の要部詳細図である。
【図１６】本発明の箱型構造の収納袋保持装置ＢまたはＢ１の内側に、本発明の収納    袋保持具Ｈ３を配設した状態の要部詳細図である。
【図１７】本発明の収納袋保持具Ｈ１を備えた収納袋保持装置の使い方を示す要部詳    細図である。
【図１８】本発明の収納袋保持具Ｈ２を備えた収納袋保持装置の使い方を示す要部詳    細図である。
【図１９】本発明の収納袋保持具Ｈ３を備えた収納袋保持装置の使い方を示す要部詳    細図である。
【符号の説明】
【００６９】
１  収納袋
１ａ  収納袋の折り返し点
２  袋保持体
３  収納袋保持具の差込みスペース
４  収納袋保持具のスペース枠
５  収納袋保持具の中空状の圧力部材
５ａ  圧力部材５の外周面に施された防滑性のある被覆材
５ｂ  圧力部材５の一部に形成されたフランジ部
５ｃ  圧力部材５の長手方向の一方の膨らみ先端部
５ｄ  圧力部材５の一方の膨らみ先端部５ｃの対岸の膨らみ先端部
６  収納袋保持具の連結用の連結紐
７  収納袋保持具の連結用の留め材
８  支柱構造の収納袋保持装置の基台
８ａ  細長Ｘ字状に折り畳み可能な支柱構造の収納袋保持装置の細長板状材
８ｂ  細長Ｘ字状に折り畳み可能な支柱構造の収納袋保持装置の棒状材
８ｃ  細長Ｘ字状に折り畳み可能な支柱構造の収納袋保持装置の枢支部
９  支柱構造の収納袋保持装置の支柱
Ｈ１  圧力部材５のフランジ部５ｂに連結紐６を備えた差込み型の収納袋保持具
Ｈ２  圧力部材５の下部を両側面支持で固定し、上部を首振りとした収納袋保持具
Ｈ３  圧力部材５の下部切落し、両側面支持で固定、上部首振りとした収納袋保持具
Ａ  支柱構造の収納袋保持装置。
Ｂ  箱型構造の収納袋保持装置
Ａ１  細長Ｘ字状に折り畳み可能な支柱構造の収納袋保持装置
Ｂ１  細長菱形状に折り畳み可能な底板のない箱型構造の収納袋保持装置
【図１】
2010006392.tif 000003
【図２】
2010006392.tif 000004
【図３】
2010006392.tif 000005
【図４】
2010006392.tif 000006
【図５】
2010006392.tif 000007
【図６】
2010006392.tif 000008
【図７】
2010006392.tif 000009
【図８】
2010006392.tif 000010
【図９】
2010006392.tif 000011
【図１０】
2010006392.tif 000012
【図１１】
2010006392.tif 000013
【図１２】
2010006392.tif 000014
【図１３】
2010006392.tif 000015
【図１４】
2010006392.tif 000016
【図１５】
2010006392.tif 000017
【図１６】
2010006392.tif 000018
【図１７】
2010006392.tif 000019
【図１８】
2010006392.tif 000020
【図１９】
2010006392.tif 000021
【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
開口した収納袋の口縁部を折返して保持するための収納袋保持具を備えた収納袋保持装置であって、
上側が開口可能で収納物の投入が可能なように収納袋（１）の上面を開かせて保持する袋保持体（２）の上部に、開口した前記収納袋（１）の上部を折り返して掛止する差込みスペース（３）を略細長コの字形の枠材で形成したスペース枠（４）と、該スペース枠（４）内で自在に変形可能な弾発力のある部材で中空状に形成された圧力部材（５）とから成り、
圧力部材（５）の長手方向の一方の膨らみ先端部（５ｃ）をスペース枠（４）内の奥側に連結用の留め材（７）で固定し、
且つ前記一方の膨らみ先端部（５ｃ）の対岸の膨らみ先端部（５ｄ）を指先で押して凹ませる程度に前記スペース枠（４）の開口部側に突出させたことを特徴とする収納袋保持具を備えた収納袋保持装置。
【請求項２】
開口した収納袋の口縁部を折返して保持するための収納袋保持具を備えた収納袋保持装置であって、
上側が開口可能で収納物の投入が可能なように収納袋（１）の上面を開かせて保持する袋保持体（２）の上部に、開口した前記収納袋（１）の上部を折り返して掛止する差込みスペース（３）を略細長コの字形の枠材で形成したスペース枠（４）と、該スペース枠（４）内で自在に変形可能な弾発力のある部材でアーチ型に形成された圧力部材（５）とから成り、
そのアーチ型圧力部材（５）の両側面端部をスペース枠（４）内の奥側に連結用の留め材（７）で固定し、
且つ前記一方の膨らみ先端部（５ｃ）の対岸の膨らみ先端部（５ｄ）を指先で押して凹ませる程度に前記スペース枠（４）の開口部側に突出させたことを特徴とする収納袋保持具を備えた収納袋保持装置。
【請求項３】
圧力部材（５）の外周面に防滑性のある被覆材（５ａ）を施したことを特徴とする請求項１乃至２に記載の収納袋保持具を備えた収納袋保持装置。
【請求項４】
袋保持体（２）を、基台（８）の中心を囲む３本以上の支柱（９）より成る支柱構造としたことを特徴とする請求項１乃至３いずれかに記載の収納袋保持具を備えた収納袋保持装置。
【請求項５】
請求項１乃至３いずれかに記載の収納袋保持装置において、袋保持体（２）の基台を、２本の細長板状材（８ａ）または棒状材（８ｂ）を中央部に設けた枢支部（８ｃ）で回動可能にＸ字状に重ね合わせて折畳み可能としたことを特徴とする収納袋保持具を備えた収納袋保持装置。
【請求項６】
袋保持体（２）を、底面の中心を囲むように壁面を立設させた箱型構造としたことを特徴とする請求項１乃至３いずれかに記載の収納袋保持具を備えた収納袋保持装置。
【請求項７】
請求項６に記載の収納袋保持装置において、袋保持体（２）の箱型構造を、壁面の接合部分に縦方向の折り曲げ自在部を形成し、細長菱形状に折り畳み可能な底板のない箱型構造としたことを特徴とする収納袋保持具を備えた収納袋保持装置。
【手続補正２】
【補正対象書類名】明細書
【補正対象項目名】００５１
【補正方法】変更
【補正の内容】
【００５１】
また、図７の（Ｃ）に示す収納袋保持具Ｈ３は、圧力部材５の下部切落しと両側面端部固定支持と上部首振りとした収納袋保持具であって、図５の（Ｃ）に示すように、圧力部材５の長手方向の一方の膨らみ先端部５ｃ側を切落して略Ｕ字形の湾曲断面とし、留め材７で固定するようにしたものとしている。
そして、図７の（Ｃ）および図１０に示すように、その奥側の２箇所を連結用の留め材７で固定した両側面端部支持のアーチ型中空状の立体構造の圧力部材５としたことにより、中空状の圧力部材５の反発復元力がスペース枠４の内面に向かって全面接触でしなやかに且つ的確に押圧保持することができるものとしている。
そして、圧力部材５の５ｃ側とスペース枠４の奥側との連結は接着またはビス止めによる固着が好ましい。